(57)【要約】【課題】原稿からの反射光を反射する反射部材の汚れに起因する黒スジの発生を低減させ、出力画像の品位向上を図った原稿読取り装置を提供する。【解決手段】ＣＣＤ２０と、ランプユニット３０と、２・３ミラーユニット４０と、光学系駆動モータ３３、原稿Ｇを搬送原稿読取り位置１４に搬送する原稿搬送部５０を備え、原稿載置台１３に原稿Ｇを載置した状態で読取る機能と、搬送原稿読取り位置１４に原稿Ｇを搬送しながら読取る機能とを備えた原稿読取り装置１において、搬送原稿読取り位置１４における原稿ＧからＣＣＤ２０に到る原稿Ｇからの反射光の光学光路を、原稿載置台１３の原稿ＧからＣＣＤ２０に到る原稿Ｇからの反射光の第１の光学経路Ｌ１とは異なる第２の光学経路Ｌ２に切換える切換手段６０を備えることを特徴とする。【選択図】図２
2009065459.tif 000002
【特許請求の範囲】
【請求項１】
原稿に照射された光の反射光により原稿読取りを行う原稿読取り手段と、原稿に照射された光の反射光を前記原稿読取り手段に導く走査光学手段と、原稿からの反射光の前記原稿読取り手段への焦点を調整するように光路長を決定する光路長決定手段と、原稿載置台上に載置された原稿を走査するように前記走査光学手段を移動させるとともに、原稿を搬送しながら原稿読取りを行う搬送原稿読取り位置に前記走査光学手段を移動させる移動手段と、原稿を搬送原稿読取り位置に搬送する原稿搬送手段を備え、原稿載置台に原稿を載置した状態で原稿を読取る機能と、搬送原稿読取り位置に原稿を搬送しながら原稿を読取る機能とを備えた原稿読取り装置において、
前記搬送原稿読取り位置における原稿から前記原稿読取り手段に到る原稿からの反射光の光学光路を、前記原稿載置台の原稿から前記原稿読取り手段に到る原稿からの反射光の第１の光学経路とは異なる第２の光学経路に切換える切換手段を備え、
前記第２の光学経路は、前記第１の光学経路のうちの前記走査光学手段における反射工程を除く光学経路とすることを特徴とする原稿読取り装置。
【請求項２】
前記走査光学手段は、原稿に光を照射する光源と原稿からの反射光を前記光路長決定手段に向かい反射させる第１の反射部材を備え、
前記光路長決定手段は、第１の反射部材からの反射光を前記原稿読取り手段に向かい反射する第２の反射部材を備え、
前記切換手段は、原稿からの反射光を前記第１の反射部材及び第２の反射部材を経由して前記原稿読取り手段に導く前記第１の光学経路から、原稿からの反射光を前記第１の反射部材を介することなく第２の反射部材に導く前記第２の光学経路に切換えることを特徴とする請求項１に記載の原稿読取り装置。
【請求項３】
前記切換手段は、前記走査光学手段の副走査方向への移動を案内するレール部材を備え、
前記レール部材は、前記走査光学手段を原稿の副走査方向に沿って案内する第１のガイド部と、前記第１のガイド部による前記第１の反射部材から前記第２の反射部材に到る反射光の光路の延長線上から前記第１の反射部材が外れる位置で前記走査光学手段を案内する第２のガイド部とを備え、
前記切換手段は、前記走査光学手段を前記第１のガイド部から第２のガイド部に、または前記第２のガイド部から第１のガイド部に移動させることで光学経路を切換えることを特徴とする請求項１または２に記載の原稿読取り装置。
【請求項４】
前記原稿搬送手段は、前記第２の光学経路の原稿から前記光路長決定手段に向かう反射光の光路に対して略垂直方向に原稿を搬送することを特徴とする請求項１乃至３のうちの何れか一項に記載の原稿読取り装置。
【請求項５】
前記原稿読取り手段における前記原稿読取り窓を通過する原稿からの反射光の焦点を前記原稿読取り手段に合わせるように光路長決定手段の位置を調整する焦点調整手段を備えることを特徴とする請求項１乃至４のうちの何れか一項に記載の原稿読取り装置。
【請求項６】
前記焦点調整手段は、前記原稿読取り窓と対向して該原稿読取り窓の開口部を開閉するシャッタ機構を備え、前記シャッタ機構は、前記原稿読取り窓と対向する部分に合焦確認チャートを設けることを特徴とする請求項５に記載の原稿読取り装置。
【請求項７】
前記焦点調整手段は、走査光学手段を前記原稿読取り窓に対向する位置に位置決めする位置決め手段を備えることを特徴とする請求項５または６に記載の原稿読取り装置。
【請求項８】
前記焦点調整手段は、前記原稿読取り手段により読み取られた画像により焦点を確認する機能と、前記光路長決定手段の移動量を調整して原稿からの反射光の焦点を前記原稿読取り手段に合わせる機能を有する制御手段を備えることを特徴とする請求項５乃至７のうちの何れか一項に記載の原稿読取り装置。
【発明の詳細な説明】
【技術分野】
【０００１】
本発明は、原稿読取り装置に係り、特に、原稿載置台に原稿を載置した状態で原稿を読取る機能と、搬送原稿読取り位置に原稿を搬送しながら原稿を読取る機能とを備えた原稿読取り装置に関する。
【背景技術】
【０００２】
従来、電子写真方式を用いたプリンタ等の画像形成装置では、原稿読取り装置を搭載して、複数枚の原稿を載置可能にして自動的に原稿を搬送し、読取りを行う原稿読取り装置を搭載したものが多く用いられている。
【０００３】
このように構成された原稿読取り装置において、走査光学系を原稿を読取る搬送原稿読取り位置に固定した状態で原稿を搬送しつつ読取りを行う、いわゆる「流し読み」を行う自動原稿搬送読取装置が知られている。このような方式により、原稿を連続的に高速に読み取ることが可能となる。
【０００４】
従来技術として、原稿を縦方向に搬送する搬送機構と縦方向に搬送される原稿を横方向から読み取る原稿読取装置が開示されている（特許文献１を参照）。
このような原稿を流し読みする形式の原稿搬送読取装置（ＳＰＦ）は、高速に原稿の読取を行うことができる。
【特許文献１】特開平６−１６７８４０号公報
【発明の開示】
【発明が解決しようとする課題】
【０００５】
しかしながら、上述した従来技術によると、光学部品に汚れが付着すると原稿の画像情報とともに汚れも画像情報として読取られるため、記録媒体に画像情報が出力される際には、副走査方向に沿った黒スジ、白スジが発生する欠点がある。
【０００６】
本発明は、上記従来の問題点に鑑みてなされたものであって、原稿からの反射光を反射する反射部材の汚れに起因する黒スジの発生を低減させ、出力画像の品位向上を図った原稿読取り装置を提供することを目的とする。
【課題を解決するための手段】
【０００７】
上述した課題を解決するための本発明に係る原稿読取り装置の構成は次の通りである。
本発明に係る原稿読取り装置は、原稿に照射された光の反射光により原稿読取りを行う原稿読取り手段（例えば、ＣＣＤ）と、原稿に照射された光の反射光を前記原稿読取り手段に導く走査光学手段（例えば、ランプユニット）と、原稿からの反射光の前記原稿読取り手段への焦点を調整するように光路長を決定する光路長決定手段（例えば、２・３ミラーユニット）と、原稿載置台上に載置された原稿を走査するように前記走査光学手段を移動させるとともに、原稿を搬送しながら原稿読取りを行う搬送原稿読取り位置に前記走査光学手段を移動させる移動手段（例えば、駆動モータ）と、原稿を搬送原稿読取り位置に搬送する原稿搬送手段を備え、原稿載置台に原稿を載置した状態で原稿を読取る機能と、搬送原稿読取り位置に原稿を搬送しながら原稿を読取る機能とを備えた原稿読取り装置において、前記搬送原稿読取り位置における原稿から前記原稿読取り手段に到る原稿からの反射光の光学光路を、前記原稿載置台の原稿から前記原稿読取り手段に到る原稿からの反射光の第１の光学経路とは異なる第２の光学経路に切換える切換手段を備え、前記第２の光学経路は、前記第１の光学経路のうちの前記走査光学手段における反射工程を除く光学経路とすることを特徴とするものである。
【０００８】
また、前記走査光学手段は、原稿に光を照射する光源と原稿からの反射光を前記光路長決定手段に向かい反射させる第１の反射部材を備え、前記光路長決定手段は、第１の反射部材からの反射光を前記原稿読取り手段に向かい反射する第２の反射部材を備え、
前記切換手段は、原稿からの反射光を前記第１の反射部材（例えば、第１ミラー）及び第２の反射部材（例えば、第２ミラー）を経由して前記原稿読取り手段に導く前記第１の光学経路から、原稿からの反射光を前記第１の反射部材を介することなく直接第２の反射部材に導く前記第２の光学経路に切換えることが好ましい。
【０００９】
また、前記切換手段は、前記走査光学手段の副走査方向への移動を案内するレール部材を備え、前記レール部材は、前記走査光学手段を原稿の副走査方向に沿って案内する第１のガイド部と、前記第１のガイド部による前記第１の反射部材から前記第２の反射部材に到る反射光の光路の延長線上から前記第１の反射部材が外れる位置、すなわち、高さが異なる位置で前記走査光学手段を案内する第２のガイド部とを備え、前記切換手段は、前記走査光学手段を前記第１のガイド部から第２のガイド部に、または前記第２のガイド部から第１のガイド部に移動させることで、前記走査光学手段の高さを異ならせるようにして光学経路を切換えることが好ましい。
【００１０】
また、前記原稿搬送手段は、前記第２の光学経路の原稿から前記光路長決定手段に向かう反射光の光路に対して略垂直方向に原稿を搬送することが好ましい。
【００１１】
また、前記原稿読取り手段における前記原稿読取り窓を通過する原稿からの反射光の焦点を前記原稿読取り手段に合わせるように光路長決定手段の位置を調整し、すなわち、光路長を決定する焦点調整手段を備えることが好ましい。
【００１２】
また、前記焦点調整手段は、前記原稿読取り窓と対向して該原稿読取り窓の開口部を開閉するシャッタ機構を備え、前記シャッタ機構は、前記原稿読取り窓と対向する部分に合焦確認チャートを設けることが好ましい。
尚、本発明において、合焦確認チャートは、白と黒の画像が交互に位置するラダーチャートであり、そのラダーチャートからの反射光から得られる原稿読取り手段による読取画像の最大濃度と最低濃度の差が最大となる光路長決定手段の位置を合焦位置として検出するものとする。
【００１３】
また、前記焦点調整手段は、走査光学手段を前記原稿読取り窓に対向する位置に位置決めする位置決め手段を備えることが好ましい。
【００１４】
さらに、前記焦点調整手段は、前記原稿読取り手段により読み取られた画像により焦点を確認する機能と、前記光路長決定手段の移動量を調整して原稿からの反射光の焦点を前記原稿読取り手段に合わせる機能を有する制御手段を備えることが好ましい。
【発明の効果】
【００１５】
本発明によれば、原稿に照射された光の反射光により原稿読取りを行う原稿読取り手段（例えば、ＣＣＤ）と、原稿に照射された光の反射光を前記原稿読取り手段に導く走査光学手段（例えば、ランプユニット）と、原稿からの反射光の前記原稿読取り手段への焦点を調整するように光路長を決定する光路長決定手段（例えば、２・３ミラーユニット）と、原稿載置台上に載置された原稿を走査するように前記走査光学手段を移動させるとともに、原稿を搬送しながら原稿読取りを行う搬送原稿読取り位置に前記走査光学手段を移動させる移動手段（例えば、駆動モータ）と、原稿を搬送原稿読取り位置に搬送する原稿搬送手段を備え、原稿載置台に原稿を載置した状態で原稿を読取る機能と、搬送原稿読取り位置に原稿を搬送しながら原稿を読取る機能とを備えた原稿読取り装置において、前記搬送原稿読取り位置における原稿から前記原稿読取り手段に到る原稿からの反射光の光学光路を、前記原稿載置台の原稿から前記原稿読取り手段に到る原稿からの反射光の第１の光学経路とは異なる第２の光学経路に切換える切換手段を備え、前記第２の光学経路を、前記第１の光学経路のうちの前記走査光学手段における反射工程を除く光学経路とすることで、特に原稿からの反射光を反射する走査光学手段における汚れに起因する黒スジの発生を低減させ、出力画像の品位向上を図った原稿読取り装置を提供することができる。
【００１６】
また、本発明によれば、前記走査光学手段として、原稿に光を照射する光源と原稿からの反射光を前記光路長決定手段に向かい反射させる第１の反射部材を備え、前記光路長決定手段として、第１の反射部材からの反射光を前記原稿読取り手段に向かい反射する第２の反射部材を備え、前記切換手段は、原稿からの反射光を前記第１の反射部材（例えば、第１ミラー）及び第２の反射部材（例えば、第２ミラー）を経由して前記原稿読取り手段に導く前記第１の光学経路から、原稿からの反射光を前記第１の反射部材を介することなく直接第２の反射部材に導く前記第２の光学経路に切換えるようにしたので、前記第１の反射部材の汚れに起因する黒スジの発生を無くし、読取り画質を向上させることができるので、大量の原稿を読み取るときに利用される原稿送り装置での読取画質を大きく向上させる効果が得られる。
【００１７】
また、本発明によれば、前記切換手段として、前記走査光学手段の副走査方向への移動を案内するレール部材を備え、前記レール部材として、前記走査光学手段を原稿の副走査方向に沿って案内する第１のガイド部と、前記第１のガイド部による前記第１の反射部材から前記第２の反射部材に到る反射光の光路の延長線上から前記第１の反射部材が外れる位置、すなわち、高さが異なる位置で前記走査光学手段を案内する第２のガイド部とを備え、前記切換手段は、前記走査光学手段を前記第１のガイド部から第２のガイド部に、または前記第２のガイド部から第１のガイド部に移動させることで、前記走査光学手段の高さを異ならせるようにして光学経路を切換えることで、簡単な構成で光学経路を切換えることができる。
【００１８】
また、本発明によれば、前記原稿搬送手段の構成を、前記第２の光学経路の原稿から前記光路長決定手段に向かう反射光の光路に対して略垂直方向に原稿を搬送するようにすることで、装置構成を上方に低くコンパクトにできる。
【００１９】
また、本発明によれば、前記原稿読取り手段における前記原稿読取り窓を通過する原稿からの反射光の焦点を前記原稿読取り手段に合わせるように光路長決定手段の位置を調整する焦点調整手段を備えることで、容易に反射光の焦点を前記原稿読取り手段に合わせることができる。
【００２０】
また、本発明によれば、前記焦点調整手段として、前記原稿読取り窓と対向して該原稿読取り窓の開口部を開閉するシャッタ機構を備え、前記シャッタ機構において、前記原稿読取り窓と対向する部分に合焦確認チャートを設けることで、原稿が搬送されていない時に、合焦確認チャートを用いて原稿からの反射光の合焦位置を容易に求めることができる。
【００２１】
また、本発明によれば、前記焦点調整手段として、走査光学手段を前記原稿読取り窓に対向する位置に位置決めする位置決め手段を備えることで、簡単な構成で前記走査光学手段を位置決めすることができる。
【００２２】
さらに、本発明によれば、前記焦点調整手段として、前記原稿読取り手段により読み取られた画像により焦点を確認する機能と、前記光路長決定手段の移動量を調整して原稿からの反射光の焦点を前記原稿読取り手段に合わせる機能を有する制御手段を備えることで、確実に反射光の焦点を前記原稿読取り手段に合わせることができる。
【発明を実施するための最良の形態】
【００２３】
以下、本発明の実施の形態について図面を参照して詳細に説明する。
図１は本発明に係る原稿読取り装置の概略構成を示す説明図、図２は前記原稿読取り装置を構成する原稿搬送部から搬送される原稿を読取る状態を示す説明図、図３は前記原稿読取り装置を構成するランプユニット周辺の構成を示す図１の矢印Ａ方向から見た概略平面図である。
【００２４】
本実施形態に係る原稿読取り装置１は、図１，図２に示すように、原稿に照射された光の反射光により原稿読取りを行うＣＣＤ（Charge Coupled Device）（原稿読取り手段）２０と、原稿に照射された光の反射光をＣＣＤ２０に導くランプユニット（走査光学手段）３０と、原稿Ｇからの反射光のＣＣＤ２０への焦点を調整するように光路長を決定する２・３ミラーユニット（光路長決定手段）４０と、原稿載置台１３上に載置された原稿Ｇを走査するようにランプユニット３０を移動させるとともに、原稿Ｇを搬送しながら原稿読取りを行う搬送原稿読取り位置１４に設けられた読取り窓１４ａにランプユニット３０を移動させる光学系駆動モータ（移動手段）３３（図６を参照）と、原稿Ｇを搬送原稿読取り位置１４に搬送する原稿搬送部（原稿搬送手段）５０を備え、原稿載置台１３に原稿Ｇを載置した状態で原稿Ｇを読取る機能と、搬送原稿読取り位置１４に原稿を搬送しながら原稿Ｇを読取る機能とを備えた原稿読取り装置であって、原稿載置台１３の原稿ＧからＣＣＤ２０に到る原稿Ｇからの反射光の第１の光学経路Ｌ１と、搬送原稿読取り位置１４における原稿ＧからＣＣＤ２０に到る原稿Ｇからの反射光の第２の光学経路Ｌ２（図２を参照）を選択的に切換える切換手段６０を備えることを特徴とするものである。
第２の光学経路Ｌ２は、第１の光学経路Ｌ１とは異なり、第１の光学経路Ｌ１のうちのランプユニット３０における第１ミラー３２に反射する反射工程を除く光学経路としている。
【００２５】
原稿読取り装置１は、複数枚原稿が積載される原稿トレイ１１、画像情報の読取済の原稿が積層して排出される排紙トレイ１２を備えている。原稿トレイ１１は、いわゆる「流し読み」する原稿を載置するトレイである。
【００２６】
ＣＣＤ２０は、原稿Ｇからの反射光を画像データに変換するものである。すなわち、ＣＣＤ２０は、原稿表面の画像を主走査方向に繰り返し読取り、原稿表面の画像を示す画像データを出力するようにされている。
結像レンズ２１は、原稿Ｇからの反射光をＣＣＤ２０に合焦するものである。
【００２７】
ランプユニット３０は、図１に示すように、原稿Ｇに光を照射する原稿ランプ（光源）３１と原稿Ｇからの反射光を２・３ミラーユニット４０に向かい反射させる第１ミラー３２を備え、図示しないワイヤ及びワイヤを駆動する光学系駆動モータ３３により駆動され、原稿Ｇを走査するようになっている。このランプユニット３０には、ランプユニット３０を支持するランプユニット支持部３４が設けられている。
【００２８】
ランプユニット支持部３４は、図３に示すように、ランプユニット３０の長手方向（原稿Ｇの主走査方向）両端部に設けられ、後述のレール部材６１と摺動部材３５を介して接触して、ランプユニット３０を移動可能に支持するように配置されている。このランプユニット支持部３４の下側には、レール部材６１の上部に配置されてレール部材上を摺動する摺動部材３５が設けられている。摺動部材３５は、表面が滑らかで摩擦係数の小さい部材で形成されている。
【００２９】
２・３ミラーユニット４０は、図１に示すように、第１ミラー３２からの反射光をＣＣＤ２０に向かい反射する第２ミラー４１、第３ミラー４２を備えている。この２・３ミラーユニット４０は、ランプユニット３０とともに移動して、原稿ＧからＣＣＤ２０までの光学距離を一定に保つように制御されている。第２ミラー４１及び第３ミラー４２は、原稿Ｇからの反射光をＣＣＤ２０に導くように配置されている。
【００３０】
原稿搬送部５０は、図２に示すように、第２の光学経路Ｌ２における原稿Ｇから２・３ミラーユニット４０に向かう反射光の光路に対して略垂直方向（図中上下方向）に原稿Ｇを搬送するように構成されている。この原稿搬送部５０は、原稿トレイ１１にセットされた原稿Ｇの最上位の原稿Ｇをピックアップするピックアップローラ５１、ピックアップローラ５１により装置内に供給された原稿Ｇを搬送する搬送ローラ５２、搬送された原稿Ｇを原稿読取り窓１４ａの所定位置に配置して搬送するプラテンローラ５３、原稿読取りが終了した原稿Ｇを排紙トレイ１２に排出する排紙ローラ５４を備えている。
【００３１】
原稿搬送部５０は、原稿Ｇが原稿トレイ１１にセットされると、最上位の原稿Ｇをピックアップするピックアップローラ５１により、原稿を１枚ずつ原稿トレイ１１から引き出して搬送し、この原稿Ｇを搬送原稿読取り位置１４の原稿読取り窓１４ａに導いて通過させた後に、この原稿を排紙トレイ１２に排出するようにされている。
【００３２】
搬送原稿読取り位置１４では、図２に示すように、原稿読取り窓１４ａは第２ミラー４１と対向する位置に設けられ、原稿搬送部５０で搬送された原稿Ｇが原稿読取り窓１４ａを通過する際に、ランプユニット３０の原稿ランプ３１によって原稿表面を露光し、２・３ミラーユニット４０第２ミラー４１，第３ミラー４２によって原稿表面からの反射光を結像レンズ２１へと導き、結像レンズ２１によって原稿表面の画像をＣＣＤ２０上に結像する。この時の原稿搬送部５０で搬送された原稿Ｇからの反射光の経路が第２の光学経路Ｌ２である。
【００３３】
一方、原稿Ｇが原稿載置台（プラテンガラス）１３上に置かれた場合は、図１に示すように、ランプユニット３０及び２・３ミラーユニット４０を相互に所定の速度関係を維持しつつ移動させ、ランプユニット３０によって原稿載置台１３上の原稿表面を露光し、ランプユニット３０及び２・３ミラーユニット４０によって原稿表面からの反射光を結像レンズ２１へと導き、結像レンズ２１によって原稿表面の画像をＣＣＤ２０上に結像する。この時の原稿載置台１３上に置かれた原稿Ｇからの反射光の経路が第１の光学経路Ｌ１である。
【００３４】
切換手段６０は、原稿載置台１３上に置かれた原稿Ｇからの反射光を第１ミラー３２及び第２ミラー４１を経由してＣＣＤ２０に導く第１の光学経路Ｌ１と、原稿搬送部５０で搬送された原稿Ｇからの反射光を第１ミラー３２を介することなく直接第２ミラー４１に導く第２の光学経路Ｌ２とを選択的に切換えるようにされている。
【００３５】
具体的には、切換手段６０は、ランプユニット３０を移動させる光学系駆動モータ３３と、ランプユニット３０の移動をガイドするレール部材６１を用いて構成されている。
【００３６】
光学系駆動モータ３３は、ランプユニット３０を駆動するとともに、２・３ミラーユニット４０をランプユニット３０の移動速度の１／２の速度で副走査方向（図中の左右方向）に移動させ、原稿ＧとＣＣＤ２０との光学距離が常に一定になるようにしている。
【００３７】
レール部材６１は、ランプユニット３０の移動を案内する手段であり、図１，図２に示すように、ランプユニット３０を原稿Ｇの副走査方向に沿って案内する第１のガイド部６１ａと、第１のガイド部６１ａによる第１ミラー３２から第２ミラー４１に到る反射光の光路の延長線上から第１ミラー３２が外れる位置、すなわち、反射光の光路の高さが異なる位置でランプユニット３０を案内する第２のガイド部６１ｃと、第１のガイド部６１ａと第２のガイド部６１ｃとを連結する傾斜部６１ｂを備えている。
【００３８】
第１のガイド部６１ａは、図１に示すように、原稿載置台（プラテンガラス）１３に載置された原稿Ｇに対して平行に配置され、原稿載置台１３に載置された原稿Ｇを走査するためにランプユニット３０が移動する範囲で形成されている。
【００３９】
第２のガイド部６１ｃは、図２に示すように、第１のガイド部６１ａから原稿読取り窓１４ａに近接する位置まで連続的に延設され、原稿搬送部５０により搬送された原稿Ｇを流し読みする時にランプユニット３０が配置される位置まで形成されている。
【００４０】
具体的には、第２のガイド部６１ｃは、原稿搬送部５０により搬送された原稿Ｇからの反射光が、第１ミラー３２を介すことなく、また、図中上下方向で、前述した第１の光学経路Ｌ１における第１ミラー３２から第２ミラー４１に到る反射光の光路と同じ位置となるように、ランプユニット３０を第１のガイド部６１ａに位置する時のランプユニット３０の位置よりも下方に変位させるように構成されている。
【００４１】
すなわち、第１のガイド部６１ａと第２のガイド部６１ｃとは、図中上下方向で高さが異なるように設けられている。傾斜部６１ｂは、第１ガイド部６１ａと第２ガイド部６１ｃとを連結するように傾斜して設けられている。
【００４２】
このように構成することで、切換手段６０は、光学系駆動モータ３３によりランプユニット３０を第１のガイド部６１ａから第２のガイド部６１ｃに、または第２のガイド部６１ｃから第１のガイド部６１ａに移動させることでランプユニット３０の高さを異ならせて、原稿Ｇからの反射光の光学経路を第１の光学経路Ｌ１と第２の光学経路Ｌ２とに選択的に切換えることができる。
【００４３】
また、原稿読取り装置１には、ＣＣＤ２０における原稿読取り窓１４ａを通過する原稿Ｇからの反射光の焦点をＣＣＤ２０に合わせるように２・３ミラーユニット４０の位置を調整し、光路長を決定する焦点調整手段７０が設けられている。
【００４４】
具体的には、焦点調整手段７０として、図２に示すように、２・３ミラーユニット４０の位置決めを行う２・３ミラーユニット位置センサ７２と、ランプユニット３０を原稿読取り窓１４ａに対向する位置に位置決めを行う位置決め手段としてのランプユニット位置センサ７１を備えている。
【００４５】
ランプユニット位置センサ７１は、レール部材６１の第２のガイド部６１ｃに近接して配置され、第２のガイド部６１ｃ上のランプユニット３０の位置を検出して、搬送原稿読取り位置１４で原稿読取りを行う時、すなわち原稿搬送部５０から搬送される原稿Ｇの原稿読取りを行う時のランプユニット３０の位置決めを行なうようにされている。
【００４６】
２・３ミラーユニット位置センサ７２は、レール部材６１の第１のガイド部６１ａに近接して配置され、２・３ミラーユニット４０の位置を検出し、２・３ミラーユニット４０を搬送原稿読取り位置１４での原稿搬送部５０から搬送される原稿Ｇからの反射光がＣＣＤ２０に結像する合焦位置に位置決めを行うようにされている。尚、合焦位置は、後述する焦点調整処理により予め調整により求められる。
【００４７】
また、焦点調整手段７０として、原稿読取り窓１４ａと対向して原稿読取り窓１４ａの開口部を開閉するシャッタ機構８０（図４（ａ），（ｂ）を参照）を備えている。
【００４８】
ここで、本実施形態のシャッタ機構８０について図面を参照して説明する。
図４（ａ）は本実施形態に係る原稿搬送部の焦点調整手段を構成するシャッタ機構の概略構成を示す説明図、（ｂ）は前記シャッタ機構の動作状態を示す説明図である。
【００４９】
シャッタ機構８０は、図４（ａ），（ｂ）に示すように、主に、原稿読取り窓１４ａと対向してその開口部を開閉するシャッタ部８１と、シャッタ部８１を図中上下方向に変位させるリンク機構８２により構成されている。
【００５０】
シャッタ部８１は、一端側８１ａの原稿読取り窓１４ａと対向する位置には合焦確認チャート８３が設け、他端側８１ｂにはシャッタ部８１を通常状態で図中上方に付勢する圧縮ばね８４が配置され、略中央部８１ｃには別途配置された突起部８５に沿ってシャッタ部８１を上下方向にガイドする長穴８１１が開口形成されている。すなわち、シャッタ部８１は、上下方向にのみ変位可能に動作制限されている。
また、シャッタ部８１は、通常状態では圧縮ばね８４によって合焦確認チャート８３が原稿読取り窓１４ａと対向するようになっている。
【００５１】
リンク機構８２は、第１リンクアーム８２１と第２リンクアーム８２２とにより構成され、互いの一端部８２１ａ，８２２ａが回動可能に係合されている。
【００５２】
第１リンクアーム８２１は、図４（ａ）に示すように、図中で略水平に配置され、ランプユニット３０が所定の位置まで移動した時に他端部８２１ｂと当接するように配置されている。この第１リンクアーム８２１は、図４（ｂ）に示すように、他端部８２１ｂにランプユニット３０が当接してさらに押された時には、図中右方向に平行に移動するようにされている。
【００５３】
第２リンクアーム８２２は、図４（ａ）に示すように、他端部８２２ｂが一端部８２２ａよりも下方に配置され、他端部８２２ｂにはシャッタ部８１の他端側８１ｂが回動可能に係合されている。この第２リンクアーム８２２は、図４（ｂ）に示すように、一端部８２２ａが図中右方向に移動すると、シャッタ部８１が上下方向にのみ変位可能に動作制限されているので、他端部８２２ｂが下方に移動するようにされている。
【００５４】
ここで、シャッタ部８１に設けられた合焦確認チャート８３について図面を参照して具体的に説明する。
図５（ａ）は本実施形態に係る原稿読取り装置に用いられる合焦確認チャートの一例を示す説明図、（ｂ）は前記合焦確認チャートからの反射光の合焦位置における前記合焦確認チャートの読取り画像における最大濃度差を示す説明図、（ｃ）は前記合焦確認チャートからの反射光の非合焦位置における前記合焦確認チャートの読取り画像における最大濃度差の一例を示す説明図である。
【００５５】
合焦確認チャート８３は、図５（ａ）に示すように、白８３ａと黒８３ｂの画像が主走査方向に沿って交互に並設されたラダーチャートである。
【００５６】
２・３ミラーユニット４０の合焦位置を検出する場合は、２・３ミラーユニット４０を移動させながら合焦確認チャート８３からの反射光を読取ることにより検出する。
すなわち、その読取り画像の最大濃度と最低濃度との濃度差を算出して、図５（ｂ）に示すように、その濃度差Ｄｍａｘ１が最大値となる２・３ミラーユニット４０の位置を検出することにより、その位置を原稿搬送部５０から搬送される原稿Ｇを読取るときの２・３ミラーユニット４０の位置として決定することができる。
【００５７】
２・３ミラーユニット４０が合焦位置に配置していない場合は、読取り画像の最大濃度と最低濃度との濃度差Ｄｍａｘ２は、図５（ｃ）に示すように、２・３ミラーユニット４０が合焦位置に配置している時の濃度差Ｄｍａｘ１よりも小さくなる。
【００５８】
このようにして、読取り画像の濃度差Ｄｍａｘ１が最大値となる２・３ミラーユニット４０の位置を検出するように２・３ミラーユニット位置センサ７２を設定することで、容易に原稿搬送部５０から搬送される原稿Ｇを読取るときの２・３ミラーユニット４０の位置を検出することができる。
【００５９】
次に、本実施形態の原稿読取り装置１における原稿流し読み時の原稿読取り窓１４ａからＣＣＤ２０までの光学的距離の焦点調整処理について説明する。
【００６０】
原稿流し読み時の焦点調整を行う場合は、光学系駆動モータ３３により２・３ミラーユニット４０を移動させるとともに、原稿流し読み時は、焦点調整（原稿読取り窓１４ａからＣＣＤ２０までの光学的距離の調整）のため２・３ミラーユニット４０を２・３ミラーユニット位置センサ７２で求められた２・３ミラーユニット４０の位置を基準に調整量を加味して停止させる。
【００６１】
この場合、原稿Ｇからの反射光は、第１ミラー３２に反射することが無いので、原稿読取り窓１４ａから２・３ミラーユニット４０までの距離で光学距離が特定できる。
従って、ランプユニット３０の位置にかかわらず２・３ミラーユニット４０を移動させて光学距離を調整すればよい。
【００６２】
また、本実施形態では、焦点調整手段７０として、ＣＣＤ２０により読み取られた画像により焦点を確認する機能と、２・３ミラーユニット４０の移動量を調整して原稿Ｇからの反射光の焦点をＣＣＤ２０に合わせる機能を有する制御手段７３（図６を参照）を備えている。
【００６３】
次に、本実施形態の原稿読取り装置１の電気的構成についてブロック図を参照して説明する。図６は本実施形態に係る原稿読取り装置の電気的構成を示すブロック図である。
【００６４】
原稿読取り装置１は、図６に示すように、制御手段７３により制御して原稿Ｇの読取りを行うようにされている。
【００６５】
画像処理手段２０１は、ＣＣＤ２０からの画像データの画像処理（ガンマ補正、色変換）を行いインターフェース（Ｉ／Ｆ）２０２に転送し、インターフェース２０２から図示しない外部ＰＣもしくはプリンタに原稿画像データを転送する。
【００６６】
光学系駆動モータ３３は、移動手段のモータに相当し、ワイヤ等を介してランプユニット３０及び２・３ミラーユニット４０を移動させるモータである。
搬送駆動モータ５５は、原稿Ｇを搬送しながら読み込む原稿読み取り窓１４ａに搬送する搬送ローラ５２を駆動するモータである。
原稿ランプ３１は、原稿Ｇを照射するランプである。
【００６７】
制御手段７３は、前述の焦点調整処理を以下の手順で行なう。
画像処理手段２０１は、前述の合焦確認チャート８３の読取画像の最大濃度と最低濃度の濃度差Ｄｍａｘ１を制御手段７３に出力する。
【００６８】
制御手段７３は、画像処理手段２０１の出力する濃度差Ｄｍａｘ１を確認すると同時に移動手段を制御して濃度差Ｄｍａｘ１が最大になる位置を２・３ミラーユニット４０の位置として特定する。２・３ミラーユニット４０の位置は、前述の２・３ミラーユニット位置センサ７２との相対的位置関係により特定する。
【００６９】
次に、本実施形態の原稿読取り装置１の原稿読取り時における切換手段６０によって原稿Ｇからの反射光の光学経路の切換える作用について図面を参照して説明する。
【００７０】
まず、原稿載置台１３に載置された原稿Ｇの原稿読取りを行う場合は、図１に示すように、ランプユニット３０がレール部材６１の第１のガイド部６１ａ上で移動しながら行われる。この時の原稿載置台１３に載置された原稿Ｇからの反射光の光学経路は、ランプユニット３０及び２・３ミラーユニット４０を介して結像レンズ２１を通ってＣＣＤ２０に到る第１の光学経路Ｌ１である。
【００７１】
搬送原稿読取り位置１４において、原稿搬送部５０から搬送される原稿Ｇの原稿読取りを行う場合は、図２に示すように、制御手段７３（図６を参照）により光学系駆動モータ３３によってランプユニット３０をレール部材６１の第１のガイド部６１ａから第２のガイド部６１ｃの原稿読取りが行われる所定の位置まで移動する。ランプユニット３０が所定の位置まで移動するとランプユニット位置センサ７１により検出される。
【００７２】
そして、光学系駆動モータ３３により２・３ミラーユニット４０を予め設定された２・３ミラーユニット位置センサ７２の位置まで移動して、搬送原稿読取り位置１４での原稿搬送部５０から搬送される原稿Ｇからの反射光がＣＣＤ２０に結像する合焦位置に配置する。この時の搬送原稿読取り位置１４に搬送される原稿Ｇからの反射光の光学経路は、２・３ミラーユニット４０の第２ミラー４１及び第３ミラー４２を介して結像レンズ２１を通ってＣＣＤ２０に到る第２の光学経路Ｌ２である。
【００７３】
このようにして、原稿Ｇを読取る位置に応じて、原稿Ｇからの反射光の光学経路を簡単に切換えることができる。
【００７４】
以上のように構成したので、本実施形態によれば、原稿読取り装置１に第１の光学経路Ｌ１と第２の光学経路Ｌ２とを切換える切換手段６０を設けたことで、簡単に光学経路を切換えることができる。
【００７５】
すなわち、本実施形態では、原稿Ｇからの反射光をランプユニット３０の第１ミラー３２を介することなくＣＣＤ２０に導く第２の光学経路Ｌ２を構成して、搬送される原稿Ｇを読取る場合には、この第２の光学経路Ｌ２に切換えるようにしたので、汚れが付着した場合に出力画像に大きく影響を及ぼす第１ミラー３２による影響を無くすことで、黒スジの発生を低減して出力画像の品位向上を図ることができる。
【００７６】
また、本実施形態によれば、切換手段６０の構成として、ランプユニット３０を移動させることによりランプユニット３０の配置高さを変化させるレール部材６１を設けたことで、簡単に光学経路を切換えることができる。
【００７７】
さらに、本実施形態によれば、搬送原稿読取り窓１４ａを開閉するシャッタ機構８０に合焦確認チャート８３を設け、焦点調整手段７０として、ＣＣＤ２０により読み取られた画像、すなわち、合焦確認チャートの画像により焦点を確認する機能と、２・３ミラーユニット４０の移動量を調整して原稿Ｇからの反射光の焦点をＣＣＤ２０に合わせる機能を有する制御手段７３を設けたことで、簡単に２・３ミラーユニット４０の合焦位置を求めることができる。
【００７８】
以上、本発明の好適な実施形態について説明したが、本発明は上述した例に限定されないことは言うまでもなく、当業者であれば、特許請求の範囲に記載された範疇内において、各種の変更例または修正例に想到し得ることは明らかであり、それらについても当然に本発明の技術的範囲に属するものと了解される。
【００７９】
例えば、搬送される原稿を読取る構成を有する原稿読取り装置であれば、本実施形態の原稿読取り装置の構成に限ることなく本発明を適用するように展開することは容易に可能である。
【図面の簡単な説明】
【００８０】
【図１】本発明に係る原稿読取り装置の概略構成を示す説明図である。
【図２】前記原稿読取り装置を構成する原稿搬送部から搬送される原稿を読取る状態を示す説明図である。
【図３】前記原稿読取り装置を構成するランプユニット周辺の構成を示す図１の矢印Ａ方向から見た概略平面図である。
【図４】（ａ）前記原稿搬送部の焦点調整手段を構成するシャッタ機構の概略構成を示す説明図、（ｂ）は前記シャッタ機構の動作状態を示す説明図である。
【図５】（ａ）は前記原稿読取り装置に用いられる合焦確認チャートの一例を示す説明図、（ｂ）は前記合焦確認チャートからの反射光の合焦位置における前記合焦確認チャートの読取り画像における最大濃度差を示す説明図、（ｃ）は前記合焦確認チャートからの反射光の非合焦位置における前記合焦確認チャートの読取り画像における最大濃度差の一例を示す説明図である。
【図６】前記原稿読取り装置の電気的構成を示すブロック図である。
【符号の説明】
【００８１】
１  画像読取り装置
１３  原稿載置台
１４  搬送原稿読取り位置
１４ａ  原稿読取り窓
２０  ＣＣＤ（原稿読取り手段）
３０  ランプユニット（走査光学手段）
３２  第１ミラー
３３  光学系駆動モータ
４０  ２・３ミラーユニット（光路長決定手段）
４１  第２ミラー
４２  第３ミラー
５０  原稿搬送部（原稿搬送手段）
６０  切換手段
６１  レール部材（切換手段）
６１ａ  第１のガイド部
６１ｃ  第２のガイド部
７０  焦点調整手段
７１  ランプユニット位置センサ（焦点調整手段）
７２  ２・３ミラーユニット位置センサ（焦点調整手段）
７３  制御手段（焦点調整手段）
８０  シャッタ機構（焦点調整手段）
８１  シャッタ部
８２  リンク機構
８３  合焦確認チャート（焦点調整手段）
Ｄｍａｘ１  濃度差
Ｄｍａｘ２  濃度差
Ｇ  原稿
Ｌ１  第１の光学経路
Ｌ２  第２の光学経路
【図１】
2009065459.tif 000003
【図２】
2009065459.tif 000004
【図３】
2009065459.tif 000005
【図４】
2009065459.tif 000006
【図５】
2009065459.tif 000007
【図６】
2009065459.tif 000008